(57)【要約】【課題】引出しを有するテーブル什器において、天板を複雑化及び重量化させることなく、作業者が引出しの前面側の左右端部に接触することによる不具合を防止する。【解決手段】作業面１１ａを形成する天板１１と、上記天板１１を支持する複数の脚部１２とを有するテーブル什器であって、上記脚部１２が、上記天板１１の下面に連結可能な連結部１４と、上記連結部１４から下方に延在すると共に下端が床面に当接される支持部１５とを備えており、隣り合って配置される２つの上記脚部１２の連結部間１４において、当該連結部１４と水平方向に隙間なく配置される引出し１３を備える。【選択図】図１
2015084987.tif 000002
【特許請求の範囲】
【請求項１】
作業面を形成する天板と、前記天板を支持する複数の脚部とを有するテーブル什器であって、
前記脚部が、前記天板の下面に連結可能な連結部と、前記連結部から下方に延在すると共に下端が床面に当接される支持部とを備えており、
隣り合って配置される２つの前記脚部の連結部間において、当該連結部と水平方向に隙間なく配置される引出しを備える
ことを特徴とするテーブル什器。
【請求項２】
前記連結部の側面と収容状態における前記引出しの前面とが面一とされていることを特徴とする請求項１記載のテーブル什器。
【請求項３】
前記連結部の下面と前記引出しの下面とが同じ高さに配置されていることを特徴とする請求項１または２記載のテーブル什器。
【請求項４】
全ての前記脚部の前記連結部間に前記引出しが配置されていることを特徴とする請求項１〜３いずれか一項に記載のテーブル什器。
【請求項５】
前記天板の平面視形状が矩形であり、前記天板の各角部に前記脚部が設置され、各前記脚部の前記連結部間に前記引出しが配置されていることを特徴とする請求項１〜４いずれか一項に記載のテーブル什器。
【発明の詳細な説明】
【技術分野】
【０００１】
本発明は、テーブル什器に関するものである。
【背景技術】
【０００２】
例えば、特許文献１〜３には、作業面を形成する天板と、この天板を支持する脚部とを備えたテーブル什器が記載されている。オフィスや公共施設等における執務空間においては、作業を行う際に、このようなテーブル什器を使用することが一般的となっている。こうしたテーブル什器は、例えば前後左右等の様々な方向からアクセス可能とされており、個別の集中作業やミーティング、定席使用やフリーアドレス使用等の多種多様な使用形態に柔軟に対応可能とされている。
【０００３】
ところで、テーブル什器では、作業に用いる物品を収容するための引出しが設けられていることが望ましい。このような引出しは、天板の下方位置においてスライド可能に設けられており、物品の出し入れを行うときに天板の側方に引き出されるように支持されている。
【先行技術文献】
【特許文献】
【０００４】
【特許文献１】特許第４４２０４１３号公報
【特許文献２】特開２０００−２４５５３８号公報
【特許文献３】特開２０１３−１０２９９４号公報
【発明の概要】
【発明が解決しようとする課題】
【０００５】
しかしながら、上述のような引出しは、物品の出し入れを行わないときには、常に天板の下方に収容され、天板の下面からさらに下方側に突出された状態で配置される。このため、作業者の下肢が引出し前面側の左右端部に当たりやすく、作業者が不快に思う不具合や、意図せずに引出しを移動させてしまう不具合を招くことになる。さらに、引出しが単独で天板の下面からさらに下方に突出された状態となるため、テーブル什器としての体裁が悪くなる。
【０００６】
なお、上述のような不具合は、例えば、天板を厚く形成すると共に、この天板に凹部を形成し、この凹部に引き出しを収容することによって解決することができる。しかしながら、このような構成は、天板の複雑化及び重量化を招くことになる。
【０００７】
本発明は、上述する問題点に鑑みてなされたもので、引出しを有するテーブル什器において、天板を複雑化及び重量化させることなく、作業者が引出しの前面側の左右端部に接触することによる不具合を防止することを目的とする。
【課題を解決するための手段】
【０００８】
本発明は、上記課題を解決するための手段として、以下の構成を採用する。
【０００９】
第１の発明は、作業面を形成する天板と、上記天板を支持する複数の脚部とを有するテーブル什器であって、上記脚部が、上記天板の下面に連結可能な連結部と、上記連結部から下方に延在すると共に下端が床面に当接される支持部とを備えており、隣り合って配置される２つの上記脚部の連結部間において、当該連結部と水平方向に隙間なく配置される引出しを備えるという構成を採用する。
【００１０】
このような構成を採用する本発明によれば、引出しは、隣り合って配置される２つの脚部の連結部間に、この連結部と水平方向に隙間なく（すなわち近接して）配置されている。このため、作業者の下肢が引出しの前面側の左右端部に接触することを防止することができる。また、本発明によれば、引出しを収容するための凹部を天板に形成する必要はなく、天板の複雑化及び重量化を防止することができる。さらに、本発明によれば、引出しが脚部の連結部間に収容されるため、引出しのみが天板の下面からさらに下方に突出された状態とならないことから、テーブル什器としての体裁を向上させることができる。
【００１１】
第２の発明は、上記第１の発明において、上記連結部の側面と収容状態における上記引出しの前面とが面一とされているという構成を採用する。
【００１２】
このような構成を採用する本発明によれば、収容状態の引出しの前面が連結部の側面と面一となるため、作業者の下肢が引出しの左右端部及び連結部の引出し側の端部に接触することを防止することができる。さらに、引出しと脚部の連結部とによって段差部が形成されることを防止し、テーブル什器としての体裁をさらに向上させることができる。
【００１３】
第３の発明は、上記第１または第２の発明において、上記連結部の下面と上記引出しの下面とが同じ高さに配置されているという構成を採用する。
【００１４】
このような構成を採用する本発明によれば、脚部の連結部の下面と引出しの下面とが同じ高さに配置されていることから、引出しの前面側のみならず、奥行き方向の広い範囲で作業者の下肢が引出しの左右端部及び連結部の端部に接触することを防止することができる。
【００１５】
第４の発明は、上記第１〜第３のいずれかの発明において、全ての上記脚部の上記連結部間に上記引出しが配置されているという構成を採用する。
【００１６】
このような構成を採用する本発明によれば、複数の引出しが設置されることになるため、引出しを使用できる範囲を広げることが可能となる。
【００１７】
第５の発明は、上記第１〜第４のいずれかの発明において、上記天板の平面視形状が矩形であり、上記天板の各角部に上記脚部が設置され、各上記脚部の上記連結部間に上記引出しが配置されているという構成を採用する。
【００１８】
このような構成を採用する本発明によれば、天板の各角部に脚部が設置され、その脚部の連結部間に引き出しが配置されているため、前後左右のどの方向からテーブル什器にアクセスした場合であっても、引出しを使用することができる。さらに、前後左右のどの方向から見ても引出しのみが天板の下面からさらに下方に突出された状態とならないことから、テーブル什器としての体裁を向上させることができる。
【発明の効果】
【００１９】
本発明によれば、引出しが連結部と水平方向に隙間なく配置されているため、作業者の下肢が引出しの前面側の左右端部に接触することを防止することができ、また天板に凹部を設ける必要もない。したがって、本発明によれば、天板を複雑化及び重量化させることなく、作業者が引出しの前面側の左右端部に接触することによる不具合を防止することが可能となる。
【図面の簡単な説明】
【００２０】
【図１】全ての引出しが収容された状態における本発明の一実施形態におけるテーブル什器の斜視図である。
【図２】全ての引出しが引き出された状態における本発明の一実施形態におけるテーブル什器の斜視図である。
【図３】天板を省略して図示した本発明の一実施形態のテーブル什器の斜視図である。
【図４】本発明の一実施形態のテーブル什器が備える脚部の３面図であり、（ａ）が平面図、（ｂ）が右側から見た側面図、（ｃ）が前側から見た側面図である。
【図５】本発明の一実施形態のテーブル什器の要部拡大図である。
【図６】本発明の一実施形態のテーブル什器が備える脚部の変形例を示す側面図であり、（ａ）が右側から見た側面図、（ｂ）が前側から見た側面図である。
【発明を実施するための形態】
【００２１】
以下、図面を参照して、本発明に係るテーブル什器の一実施形態について説明する。なお、以下の図面において、各部材を認識可能な大きさとするために、各部材の縮尺を適宜変更している。
【００２２】
図１は、全ての引出し１３が収容された状態における本実施形態のテーブル什器１０の斜視図である。また、図２は、全ての引出し１３が引き出された状態における本実施形態のテーブル什器１０の斜視図である。また、図３は、天板１１を省略した本実施形態のテーブル什器１０の斜視図である。
【００２３】
図１及び図２に示すように、本実施形態のテーブル什器１０は、オフィスや公共施設等における執務空間において作業を行うためのものであり、天板１１、脚部１２及び引出し１３を備えている。なお、以下においては説明の便宜上、図１〜図３の矢印に示すように、前後左右方向を規定する。
【００２４】
天板１１は、上面が作業面１１ａとされた板状部材である。この天板１１は、平面視形状が正方形（矩形）とされており、作業面１１ａがコンセント等の設けられていない平面とされている。このような天板１１は、上方から見て、４つの辺が各々前側、後側、左側、右側に向くように配置されている。なお、天板１１の裏面（下面）側には、脚部１２等をネジ止めするためのネジ穴が複数設けられている。また、天板１１の裏面には、引出し１３をスライド可能に支持するためのレールが固定されている。
【００２５】
脚部１２は、図３に示すように４か所に設けられており、図１及び図２に示すように天板１１の角部に設けられている。なお、以下の説明では、天板１１の前側を向く辺と右側向く辺とによって形成される角部に設けられた脚部１２を第１脚部１２ａと称し、右側を向く辺と後側を向く辺とによって形成される角部に設けられた脚部１２を第２脚部１２ｂと称し、後側を向く辺と左側を向く辺とによって形成される角部に設けられた脚部１２を第３脚部１２ｃと称し、左側を向く辺と前側を向く辺とによって形成される角部に設けられた脚部１２を第４脚部１２ｄと称する。
【００２６】
図４は、第１脚部１２ａの３面図であり、（ａ）が平面図、（ｂ）が右側から見た側面図、（ｃ）が前側から見た側面図である。これらの図に示すように、第１脚部１２ａは、連結部１４と、支持部１５とを備えている。連結部１４は、天板１１の下面に連結可能とされたブロック状の部位である。この連結部１４は、図４（ａ）に示すように、直交して接続される２つの側面１４ａを有している。このような連結部１４は、これらの側面１４ａが天板１１の側面と面一となるように、上面１４ｂが天板１１の下面に当接された状態で天板１１に対してネジ止めされている。
【００２７】
また、連結部１４の側面１４ａの高さは、引出し１３の高さと同じに設定されている。また、連結部１４の側面１４ａの端部１４ｃは、図５の要部拡大図に示すように、引出し１３側に大きく張り出された位置に設けられている。この端部１４ｃの位置は、例えば、設計上、引出し１３の幅が先に定まっている場合には、この引出し１３の端部（後述する端部１６ａ）に近接するように設定される。
【００２８】
支持部１５は、連結部１４から下方に延在する棒状の部位であり、その下端部１５ａが床面に対して当接される。また、本実施形態においては、支持部１５の下端部１５ａは、前後方向に向けて配置される回転軸によって回転可能に支持されたローラとされている。なお、図６の変形例に示すように、支持部１５がアジャスタからなる下端部１５ｂとすることも可能である。なお、図６において、（ａ）はアジャスタからなる下端部１５ｂを有する支持部１５の右側から見た側面図であり、（ｃ）が前側みた側面図である。また支持部１５の下端部は、前後左右いずれかの方向にも回転可能な自在式のキャスタとすることも可能である。
【００２９】
第２脚部１２ｂ、第３脚部１２ｃ及び第４脚部１２ｄは、取付位置及び取付向きが異なるが、第１脚部１２ａと略同一の構成とされていることから、ここでの詳細な説明は省略する。ただし、第２脚部１２ｂ、第３脚部１２ｃ及び第４脚部１２ｄは、支持部１５の下端部１５ａが、第１脚部１２ａの下端部１５ａと同一方向（すなわち左右方向）に回転可能なローラとされている。これによって、本実施形態のテーブル什器１０は、ローラの回転によって左右方向に滑らかに移動することが可能とされている。
【００３０】
引出し１３は、脚部１２の連結部１４同士の間に配置されている。本実施形態においては、全ての脚部１２の連結部１４同士の間に引出し１３が設置されている。なお、以下の説明では、第１脚部１２ａの連結部１４と第２脚部１２ｂの連結部１４との間に設置された引出し１３を第１引出し１３ａと称し、第２脚部１２ｂの連結部１４と第３脚部１２ｃの連結部１４との間に設置された引出し１３を第２引出し１３ｂと称し、第３脚部１２ｃの連結部１４と第４脚部１２ｄの連結部１４との間に設置された引出し１３を第３引出し１３ｃと称し、第４脚部１２ｄの連結部１４と第１脚部１２ａの連結部１４との間に設置された引出し１３を第４引出し１３ｄと称する。
【００３１】
図１〜３に示すように、第１引出し１３ａは、前面パネル１６が右側を向いて配置される収容容器であり、天板１１の下面に設置された不図示のレールによって、左右方向に移動可能に支持されている。この第１引出し１３ａは、物品を出し入れしないときは図１に示すように天板１１の下側に収容された状態（以下、収容状態と称する）とされ、物品を出し入れするときは図２に示すように天板１１の側方に引き出された状態とされる。
【００３２】
このような第１引出し１３ａは、図５に示すように、隣り合う脚部１２である第１脚部１２ａと第２脚部１２ｂの連結部１４間において、これらの連結部１４と前面パネル１６の端部１６ａとが前後方向（水平方向）に隙間が生じないように配置されている。なお、ここで言う隙間が生じていないとは、前面パネル１６の端部１６ａと連結部１４の側面１４ａの端部１４ｃとが、当接している場合に限定されるものではなく、第１引出し１３ａの出し入れを阻害しない程度に僅かに離間している場合も含むものである。具体的には、一般的な体型の作業者の下肢が入り込まないように、連結部１４の端部１４ｃと前面パネル１６の端部１６ａとが近接して配置されていることを意味している。
【００３３】
また、第１引出し１３ａは、収容状態において、前面パネル１６の表面（すなわち第１引出し１３ａの前面）と、第１脚部１２ａ及び第２脚部１２ｂの連結部１４の側面１４ａとが面一となる位置に配設されている。さらに、第１引出し１３ａは、第１脚部１２ａ及び第２脚部１２ｂの連結部１４の下面１４ｄと第１引出し１３ａの前面パネル１６の下面１４ｄ（すなわち第１引出し１３ａの下面）とが同じ高さとなる位置に配設されている。このような第１引出し１３ａは、収容状態において、前面が第１脚部１２ａ及び第２脚部１２ｂの連結部１４の側面１４ａと面一となり、下面が第１脚部１２ａ及び第２脚部１２ｂの連結部１４の下面１４ｄと面一となる。このため、第１引出し１３ａが収容状態のときには、第１引出し１３ａと第１脚部１２ａ及び第２脚部１２ｂの連結部１４とが図５に示すように、一体的となる。
【００３４】
第２引出し１３ｂは、前面パネル１６が後側を向いて配置される収容容器であり、天板１１の下面に設置された不図示のレールによって、前後方向に移動可能に支持されている。この第２引出し１３ｂも、物品を出し入れしないときは図１に示すように天板１１の下側に収容された状態（収容状態）とされ、物品を出し入れするときは図２に示すように天板１１の側方に引き出された状態とされる。
【００３５】
このような第２引出し１３ｂは、隣り合う脚部１２である第２脚部１２ｂと第３脚部１２ｃの連結部１４間において、これらの連結部１４と前面パネル１６の端部１６ａとが左右方向（水平方向）に隙間が生じないように配置されている。
【００３６】
また、第２引出し１３ｂは、収容状態において、前面パネル１６の表面（すなわち第２引出し１３ｂの前面）と、第２脚部１２ｂ及び第３脚部１２ｃの連結部１４の側面１４ａとが面一となる位置に配設されている。さらに、第２引出し１３ｂは、第２脚部１２ｂ及び第３脚部１２ｃの連結部１４の下面１４ｄと第２引出し１３ｂの前面パネル１６の下面１４ｄ（すなわち第２引出し１３ｂの下面）とが同じ高さとなる位置に配設されている。このような第２引出し１３ｂは、収容状態において、前面が第２脚部１２ｂ及び第３脚部１２ｃの連結部１４の側面１４ａと面一となり、下面が第２脚部１２ｂ及び第３脚部１２ｃの連結部１４の下面１４ｄと面一となる。このため、第２引出し１３ｂが収容状態のときには、第２引出し１３ｂと第２脚部１２ｂ及び第３脚部１２ｃの連結部１４とが一体的となる。
【００３７】
第３引出し１３ｃは、前面パネル１６が左側を向いて配置される収容容器であり、天板１１の下面に設置された不図示のレールによって、左右方向に移動可能に支持されている。この第３引出し１３ｃも、物品を出し入れしないときは図１に示すように天板１１の下側に収容された状態（収容状態）とされ、物品を出し入れするときは図２に示すように天板１１の側方に引き出された状態とされる。
【００３８】
このような第３引出し１３ｃは、隣り合う脚部１２である第３脚部１２ｃと第４脚部１２ｄの連結部１４間において、これらの連結部１４と前面パネル１６の端部１６ａとが前後方向（水平方向）に隙間が生じないように配置されている。
【００３９】
また、第３引出し１３ｃは、収容状態において、前面パネル１６の表面（すなわち第３引出し１３ｃの前面）と、第３脚部１２ｃと第４脚部１２ｄの連結部１４の側面１４ａとが面一となる位置に配設されている。さらに、第３引出し１３ｃは、第３脚部１２ｃと第４脚部１２ｄの連結部１４の下面１４ｄと第３引出し１３ｃの前面パネル１６の下面１４ｄ（すなわち第３引出し１３ｃの下面）とが同じ高さとなる位置に配設されている。このような第３引出し１３ｃは、収容状態において、前面が第３脚部１２ｃと第４脚部１２ｄの連結部１４の側面１４ａと面一となり、下面が第３脚部１２ｃと第４脚部１２ｄの連結部１４の下面１４ｄと面一となる。このため、第３引出し１３ｃが収容状態のときには、第３引出し１３ｃと第３脚部１２ｃと第４脚部１２ｄの連結部１４とが一体的となる。
【００４０】
第４引出し１３ｄは、前面パネル１６が前側を向いて配置される収容容器であり、天板１１の下面に設置された不図示のレールによって、前後方向に移動可能に支持されている。この第４引出し１３ｄも、物品を出し入れしないときは図１に示すように天板１１の下側に収容された状態（収容状態）とされ、物品を出し入れするときは図２に示すように天板１１の側方に引き出された状態とされる。
【００４１】
このような第４引出し１３ｄは、隣り合う脚部１２である第４脚部１２ｄと第１脚部１２ａの連結部１４間において、これらの連結部１４と前面パネル１６の端部１６ａとが左右方向（水平方向）に隙間が生じないように配置されている。
【００４２】
また、第４引出し１３ｄは、収容状態において、前面パネル１６の表面（すなわち第４引出し１３ｄの前面）と、第４脚部１２ｄと第１脚部１２ａの連結部１４の側面１４ａとが面一となる位置に配設されている。さらに、第４引出し１３ｄは、第４脚部１２ｄと第１脚部１２ａの連結部１４の下面１４ｄと第４引出し１３ｄの前面パネル１６の下面１４ｄ（すなわち第４引出し１３ｄの下面）とが同じ高さとなる位置に配設されている。このような第４引出し１３ｄは、収容状態において、前面が第４脚部１２ｄと第１脚部１２ａの連結部１４の側面１４ａと面一となり、下面が第４脚部１２ｄと第１脚部１２ａの連結部１４の下面１４ｄと面一となる。このため、第４引出し１３ｄが収容状態のときには、第４引出し１３ｄと第４脚部１２ｄと第１脚部１２ａの連結部１４とが一体的となる。
【００４３】
このように第１引出し１３ａ、第２引出し１３ｂ、第３引出し１３ｃ及び第４引出し１３ｄは、前面パネル１６が向けられる向き及び引出す方向が異なる以外は同じ構成とされている。
【００４４】
以上のような本実施形態のテーブル什器１０は、脚部１２が、天板１１の下面に連結可能な連結部１４と、連結部１４から下方に延在すると共に下端が床面に当接される支持部１５とを備えており、隣り合って配置される２つの脚部１２の連結部１４間において、この連結部１４と水平方向に隙間なく配置される引出し１３を備える。つまり、引出し１３は、隣り合って配置される２つの脚部１２の連結部１４間に、この連結部１４と水平方向に隙間なく（すなわち近接して）配置されている。このため、作業者の下肢が前面パネル１６の端部１６ａ（引出し１３の前面側の端部）に接触することを防止することができる。また、本実施形態のテーブル什器１０によれば、引出し１３を収容するための凹部を天板１１に形成する必要はなく、天板１１の複雑化及び重量化を防止することができる。さらに、本実施形態のテーブル什器１０によれば、引出し１３が脚部１２の連結部１４間に収容されるため、引出し１３のみが天板１１の下面からさらに下方に突出された状態とならないことから、テーブル什器１０としての体裁を向上させることができる。
【００４５】
また、本実施形態のテーブル什器１０では、脚部１２の連結部１４の側面１４ａと収容状態における引出し１３の前面とが面一とされている。作業者の下肢が引出し１３の前面パネル１６の端部１６ａ及び連結部１４の引出し側の端部１４ｃに接触することを防止することができる。さらに、引出し１３と脚部１２の連結部１４とによって段差部が形成されることを防止し、テーブル什器１０としての体裁をさらに向上させることができる。
【００４６】
また、本実施形態のテーブル什器１０では、脚部１２の連結部１４の下面１４ｄと引出し１３の下面１６ｂとが同じ高さに配置されている。このため、引出し１３の前面側のみならず、奥行き方向の広い範囲で作業者の下肢が引出し１３の端部及び連結部１４の端部１４ｃに接触することを防止することができる。
【００４７】
また、本実施形態のテーブル什器１０では、全ての脚部１２の連結部１４間に引出し１３が配置されている。このため、複数（４つ）の引出し１３が設置されることになるため、引出し１３を使用できる範囲を広げることが可能となる。
【００４８】
また、本実施形態のテーブル什器１０では、天板１１の平面視形状が矩形であり、天板１１の各角部に脚部１２が設置され、各脚部１２の連結部１４間に引出し１３が配置されている。このため、前後左右のどの方向からテーブル什器１０にアクセスした場合であっても、引出し１３を使用することができる。さらに、前後左右のどの方向から見ても引出し１３のみが天板１１の下面からさらに下方に突出された状態とならないことから、テーブル什器１０としての体裁を向上させることができる。
【００４９】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００５０】
例えば、上記実施形態においては、天板１１の平面視形状が正方形であり、脚部１２を４つ備えたテーブル什器１０について説明した。しかしながら、本発明はこれに限定されるものではなく、例えば、天板の平面視形状が長方形であっても良い。また、例えば、天板の平面視形状が五角形や六角形等の多角形である各角部に脚部が設けられた構成を採用することも可能である。
【００５１】
また、上記実施形態においては、引出し１３の前面と連結部１４の側面１４ａとが面一であり、連結部１４の下面１４ｄと引出し１３の下面１６ｂとが同じ高さとされた構成について説明した。しかしながら、これらの構成は必ずしも必須の構成ではない。
【００５２】
また、上記実施形態においては、全ての連結部１４間に引出し１３が設置されている構成について説明した。しかしながら、本発明はこれに限定されるものではなく、複数の連結部１４間のいずれかに引出し１３が設置されていない構成を採用することもできる。
【符号の説明】
【００５３】
１０……テーブル什器、１１……天板、１１ａ……作業面、１２……脚部、１２ａ……第１脚部、１２ｂ……第２脚部、１２ｃ……第３脚部、１２ｄ……第４脚部、１３……引出し、１３ａ……第１引出し、１３ｂ……第２引出し、１３ｃ……第３引出し、１３ｄ……第４引出し、１４……連結部、１４ａ……側面、１４ｂ……上面、１４ｃ……端部、１４ｄ……下面、１５……支持部、１５ａ……下端部、１５ｂ……下端部、１６……前面パネル、１６ａ……端部、１６ｂ……下面
【図１】
2015084987.tif 000003
【図２】
2015084987.tif 000004
【図３】
2015084987.tif 000005
【図４】
2015084987.tif 000006
【図５】
2015084987.tif 000007
【図６】
2015084987.tif 000008